(57)【要約】【課題】本発明は、一輪の花を差し込む一輪挿し及び一輪挿しを複数取り付けるための取付台の改良に関する発明を提供することを目的とするものである。【解決手段】本願発明である一輪挿し及びその取付台は、上記の課題を解決するために、上端及び下端は平坦に形成するとともに下端の径は上端の径より大きく形成し、中央には上端から下端に貫通する差込孔が設けられていることを特徴とする略円錐形状の一輪挿しの構成とした。【選択図】　図３
2004089279.tif 000002
【特許請求の範囲】
【請求項１】
上端及び下端は平坦に形成するとともに下端の径は上端の径より大きく形成し、中央には上端から下端に貫通する差込孔が設けられていることを特徴とする略円錐形状の一輪挿し。
【請求項２】
上面の上面から下面３ｄに貫通する大径差込孔及び小径差込孔が穿設され、各コーナが円く形成されているとともに長方形であることを特徴とする取付台。
【発明の詳細な説明】
【０００１】
【発明が属する技術分野】
本発明は、一輪の花を差し込む一輪挿し及び一輪挿しを複数取り付けるための取付台の改良に関する発明である。
【０００２】
【従来の技術】
従来は、花器に切りとった生花をいける場合には、生花の茎の下端に剣山にある針に突き刺し花器に生花を生けていた。
【０００３】
【発明が解決しようとする課題】
しかしながら、生花の茎の下端の切り口に剣山の針が突き刺されているために、生花の茎に雑菌が入りやすく、また、水分を吸収しにくくなるため、生花が長持ちせず、花は枯れやすく直ぐに落下してしまうとの欠点がある。
【０００４】
そこで、本発明では、一輪の生花をいける場合に、従来のように検算の針を突き刺すことがなく、一輪の花の茎を差し込むための孔を設けた一輪挿しとすることにより一輪の生花が長持ちする一輪挿し及びその一輪挿しを複数個取り付ける取付台を提供することを目的とするものである。
【０００５】
【課題を解決するための手段】
本願発明である一輪挿し及びその取付台は、上記の課題を解決するために、
上端及び下端は平坦に形成するとともに下端の径は上端の径より大きく形成し、中央には上端から下端に貫通する差込孔が設けられていることを特徴とする略円錐形状の一輪挿しの構成とした。
【０００６】
【実施例】
以下に、添付図面に基づき、本発明である一輪挿し及びその取付台について詳細に説明する。図１は本発明である一輪挿しの第１実施例の正面図、図２は本発明である一輪挿しの第１実施例の平面図、図３は本発明である一輪挿しの第１実施例の底面図、図４は本発明である一輪挿しの第１実施例の縦断面図である。
【０００７】
図１に示すように、本発明である一輪挿し１は、略円錐の形状をしている。一輪挿し１の上端１ｂ及び下端１ｄは平坦であり、下端１ｄの径は上端１ｂの径より大きい。また、上部１ｃは湾曲状に形成されている。
【０００８】
図２及び図３に示すように、本例の一輪挿し１の中央には、上端１ｂから下端１ｄに貫通する差込孔１ａが設けられている。差込孔１ａは、図４に示すように、前記差込孔１ａの内径は、上部の内径と下部の内径とは同径である。
【０００９】
本例の一輪挿し１では、差込孔１ａは、一輪挿し１の内部に１つの差込孔１ａのみが穿設されているが、必要に応じて、複数の差込孔１ａ、１ａ、１ａを穿設しても良い。
【００１０】図５は本発明である一輪挿しの第２実施例の正面図、図６は本発明である一輪挿しの第２実施例の平面図、図７は本発明である一輪挿しの第２実施例の底面図、図８は本発明である一輪挿しの第２実施例の縦断面図である。
【００１１】
図５に示すように、本発明である一輪挿し２は、円筒状の筒部２ｃと円筒状の基部２ｅとからなり、筒部２ｃの上端２ｂ及び基部２ｅの下端２ｆは平坦である。基部２ｅの下端２ｆの径は、上端２ｂの径より大きい。また、筒部２ｃの下部２ｄは、基部２ｅに外方に湾曲状に広がっている。
【００１２】
図６及び図７に示すように、本例の一輪挿し２の中央には、差込孔２ａが設けられている。また、図８に示すように、本例の一輪挿し２は、上端２ｂから下端２ｆへ貫通する差込孔２ａが穿設されている。前記差込孔２ａの内径は同径である。
【００１３】
図９は、本発明である取付台の第１実施例の正面図、図１０は本発明である取付台の第１実施例の平面図である。図９に示すように、本発明である一輪挿しの取付台３の上面３ｃ及び下面３ｄは平坦であり、上面３ｃと下面３ｄは同径である。
【００１４】
図１０に示すように、本例の取付台３は、各コーナが円く形成されているとともに、長方形である。前記取付台３の上面３ｃの上面３ｃから下面３ｄに貫通する差込孔が穿設されている。
【００１５】
本例の一輪挿しを取り付けるための取付台３には、５個の大径差込孔３ａ、３ａ、３ａ、３ａ、３ａ、３ａ及び２個の小径差込孔３ｂ、３ｂが穿設されている。側面３ｅは平坦に形成されている。
【００１６】
中央部には、大径差込孔３ａが穿設されているとともに、大径差込孔３ａの左方には縦方向に大径差込孔３ａ、３ａが穿設されているとともに大径差込孔３ａの右方には縦方向に大径差込孔３ａ、３ａが穿設されている。そして、大径差込孔３ａの上方及び下方にはそれぞれ小径差込孔３ｂ、３ｂが穿設されている。
【００１７】
図１１は本発明である取付台の第２実施例の正面図、図１２は本発明である取付台の第２実施例の平面図である。図１１に示すように、本例の一輪挿しの取付台４の上面４ｃ及び下面４ｄは平坦であり、上面４ｃの径と下面４ｄの径は同径であり、円筒状である。
【００１８】
図１２に示すように、本例の取付台４は円筒状の平板である。前記取付台４の上面４ｃから下面４ｄに貫通する３個の大径差込孔４ａ、４ａ、４ａ及び３個の小径差込孔４ｂ、４ｂ、４ｂが交互に円状に設けられている。
【００１９】
図１３は本発明である一輪挿しの第３実施例の正面図、図１４は本発明である一輪挿しの第３実施例の平面図、図１５は本発明である一輪挿しの第３実施例の縦断面図である。
【００２０】
図１３に示すように、本発明である一輪挿し５は、略円柱の形状をしている。前記一輪挿し５の上部５ｂは半球体状に形成されていて、下端５ｄは平坦に形成されている。
【００２１】
図１４に示すように、本例の一輪挿し５の右より中央部分には差込孔５ａが内部に傾斜して設けられている。図１５に示すように、本例の一輪挿し５は、上部５ｂから下端５ｄへ左斜め方向に貫通する差込孔５ａが穿設されている。前記差込孔５ａの径は、同径の差込孔である。
【００２２】
本例の一輪挿し１では、差込孔５は、一輪挿し１の内部に１つの差込孔５ａのみが穿設されているが、必要に応じて、右斜め方向の複数の差込孔５ａ、５ａ、５ａを穿設しても良い。
【００２３】
図１６は本発明である一輪挿しの第４実施例の正面図、図１７は本発明である一輪挿しの第４実施例の平面図、図１８は本発明である一輪挿しの第４実施例の縦断面図である。
【００２４】
図１６に示すように、本発明である一輪挿し６は略円柱の形状をしている。前記一輪挿し６の上部６ｂは半球体状に形成されていて、下端６ｄは平坦に形成されている。
【００２５】
図１７に示すように、本例の一輪挿し６の中央部分には差込孔６ａが設けられている。図１８に示すように、本例の一輪挿し６は、上部６ｂから下端６ｄへ貫通する差込孔６ａが穿設されている。前記差込孔６ａの上部の径は下部の径より大きい。
【００２６】
本例の一輪挿し６では、差込孔６ａは、一輪挿し１の内部に１つの差込孔６ａのみが穿設されているが、必要に応じて、複数の差込孔６ａを穿設しても良い。
【００２７】
図１９は本発明である取付台の第３実施例の正面図、図２０は本発明である取付台の第３実施例の平面図、図２１は本発明である取付台の第３実施例の縦断面図である。
【００２７】
図１９に示すように、本発明である一輪挿しの取付台７は長方形状であり、上面７ｂ及び下面７ｄは平坦であり、側面７ｃもまた平坦に形成されている。
【００２８】
図２０に示すように、本例の取付台７は４隅が円く形成されていて長方形の形状をしている。前記取付台７の上面７ｂから下面７ｄに貫通する２０個の同径の差込孔７ａが設けられている。２０個の差込孔に限定されるものではない。
【００２９】
図２１に示すように、本例の取付台７は上面７ｂから下面７ｄへ貫通する同径差込孔７ａが穿設されている。前記同径差込孔７ａの上部と下部は同径である。整然に穿設しても良いし、整然でなく穿設しても良い。
【００３０】
図２２は本発明である一輪挿しの第５実施例の正面図、図２３は本発明である一輪挿しの第５実施例の平面図、図２４は本発明である一輪挿しの第５実施例の縦断面図である。
【００３１】
図２２に示すように、本発明である一輪挿し８は、縦長長方形の形状をしている。前記一輪挿し８の上端８ｂ及び下端８ｄは平坦であり、上端８ｂと下端８ｄは同径である。側面８ｃも平坦に形成されている。
【００３２】
図２３に示すように、本例の一輪挿し８の中央には差込孔８ａが設けられている。図２４に示すように、本例の一輪挿し８は上端８ｂから下端８ｄへ貫通する差込孔８ａが穿設されている。前記差込孔８ａの上部の径は下部の径より大きい。
前記差込孔８ａと下部には段差が形成されている。
【００３３】
図２５は本発明である取付台の第４実施例の正面図、図２６は、本発明である取付台の第４実施例の平面図である。図２５に示すように、本発明である一輪挿しの取付台９の上面９ｂの形状は凸凹しており、下面９ｄは平坦である。側面９ｃは、平坦に形成されている。本例の取付台９に形成されている差込孔９ａには、直接一輪の花を差し込んで使用しても良い。
【００３４】
図２６に示すように、本例の取付台９は、楕円形状をしている。上面９ｂの表面の形状は凹凸状に形成されている。前記取付台９の上面９ｂの全面に６個の同径差込孔９ａがアットランダムに設けられている。前記同径差込孔９ａは整然と並列して設けられている場合もある。
【００３５】
図２７は本発明である一輪挿しの第６実施例の正面図、図２８は本発明である一輪挿しの第６実施例の平面図、図２９は本発明である一輪挿しの第６実施例の縦断面図である。
【００３６】
図２７に示すように、本発明である一輪挿し１０は、略円柱の形状をしている。前記一輪挿し１０の上端１０ｂは湾曲しており、下端１０ｄは平坦である。また、側面１０ｃも平坦に形成されている。
【００３７】
図２８に示すように、本例の一輪挿し１０の中央部分には、差込孔１０ａが設けられている。上端１０ｂから下端１０ｄに貫通する差込孔１０ａが形成されている。
【００３８】
図２９に示すように、本例の一輪挿し１０は、上端１０ｂから下端１０ｄへ貫通する差込孔１０ａが穿設されている。差込孔１０ａは、略円錐の形状をしており、差込孔１０ａの上部の径は、下部の径より大きく形成されている。
【００３９】
そして、図２９に示すように、前記差込孔１０ａ内には第１環条溝１０ｅ、第２環条溝１０ｆ及び第３環条溝１０ｇが形成されている。
【００４０】
図３０は本発明である一輪挿しの第７実施例の正面図、図３１は本発明である一輪挿しの第７実施例の平面図、図３２は本発明である一輪挿しの第７実施例の縦断面図である。
【００４１】
図３０に示すように、本発明である一輪挿し１１は、逆凸状の形状をしている。前記一輪挿し１１の上端１１ｂ及び下端１１ｅは平坦であり、上端１１ｂの径は下端１１ｅの径より大きい。
【００４２】
図３１に示すように、本例の一輪挿し１１の中央部分には差込孔１１ａが設けられている。差込孔１１ａは上端１１ｂから下端１１ｅに貫通する差込孔１１ａが穿設されている。
【００４３】
図３２に示すように、本例の一輪挿し１１は上端１１ｂから下端１１ｅへ貫通する差込孔１１ａが穿設されている。差込孔１１ａは、凸の形状をしており、差込孔１１ａの上部の径は下部の径より大きく形成されている。
【００４４】
前記差込孔１１ａ内には、第１差込孔１１ｆ、第２差込孔１１ｇ、第３差込孔１１ｈ、第４差込孔１１ｉ及び第５差込孔１１ｊが形成されている。各差込孔間には段差が設けてある。
【００４５】
図３３は本発明である取付台の一輪挿しに生花を生けた状態を示した図である。図３３に示したように、本発明である取付台１２には上面１２ｆから下面１２ｈへ貫通する差込孔１２ａ、１２ｂ、１２ｃ及び１２ｄが穿設されている。
【００４６】
前記差込孔１２ａ、１２ｂ、１２ｃ、１２ｄに、本例の一輪挿し１、２、８、１１を差し込み、生花を生けた状態を示している。前後左右側面１２ｅ、１２ｆ、１２ｇ、１２ｈは平坦に形成されている。
【００４７】
図３４は本発明である一輪挿しを花器に置き、生花を生けた状態を示した図である。図３４に示すように、花器１３に水１４を張り、生花１５、１５ａを生けた本例の一輪挿し１、２を花器１３に置いた状態を示している。
【００４８】
図３５は本発明である一輪挿し及びその取付台を花器に置き、生花を生けた状態を示した図である。図３５に示すように、花器１３に水１４を張り、生花１５、１５ａ、１５ｂ、１５ｃを生けた本例の一輪挿し１、２、６、８を取付台１２に挿入した状態を示している。
【００４９】
【発明の効果】
本発明は、以上に説明したような構成であるから以下の効果が得られる。生花の茎の切り口が傷まないため、雑菌が入らず、また、水分吸収率が高まり花もちが良くなる。また、生花を花器に生けたり、枯れた生花を捨てる際、生花の取扱いが簡単になる。
【図面の簡単な説明】
【図１】本発明である一輪挿しの第１実施例の正面図である。
【図２】本発明である一輪挿しの第１実施例の平面図である。
【図３】本発明である一輪挿しの第１実施例の底面図である。
【図４】本発明である一輪挿しの第１実施例の縦断面図である。
【図５】本発明である一輪挿しの第２実施例の正面図である。
【図６】本発明である一輪挿しの第２実施例の平面図である。
【図７】本発明である一輪挿しの第２実施例の底面図である。
【図８】本発明である一輪挿しの第２実施例の縦断面図である。
【図９】本発明である取付台の第１実施例の正面図である。
【図１０】本発明である取付台の第１実施例の平面図である。
【図１１】本発明である取付台の第２実施例の正面図である。
【図１２】本発明である取付台の第２実施例の平面図である。
【図１３】本発明である一輪挿しの第３実施例の正面図である。
【図１４】本発明である一輪挿しの第３実施例の平面図である。
【図１５】本発明である一輪挿しの第３実施例の縦断面図である。
【図１６】本発明である一輪挿しの第４実施例の正面図である。
【図１７】本発明である一輪挿しの第４実施例の平面図である。
【図１８】本発明である一輪挿しの第４実施例の縦断面図である。
【図１９】本発明である取付台の第３実施例の正面図である。
【図２０】本発明である取付台の第３実施例の平面図である。
【図２１】本発明である取付台の第３実施例の縦断面図である。
【図２２】本発明である一輪挿しの第５実施例の正面図である。
【図２３】本発明である一輪挿しの第５実施例の平面図である。
【図２４】本発明である一輪挿しの第５実施例の縦断面図である。
【図２５】本発明である取付台の第４実施例の正面図である。
【図２６】本発明である取付台の第４実施例の平面図である。
【図２７】本発明である一輪挿しの第６実施例の正面図である。
【図２８】本発明である一輪挿しの第６実施例の平面図である。
【図２９】本発明である一輪挿しの第６実施例の縦断面図である。
【図３０】本発明である一輪挿しの第７実施例の正面図である。
【図３１】本発明である一輪挿しの第７実施例の平面図である。
【図３２】本発明である一輪挿しの第７実施例の縦断面図である。
【図３３】本発明である取付台の一輪挿しに生花を生けた状態を示した図である。
【図３４】本発明である一輪挿しを花器に置き、生花を生けた状態を示した図である。
【図３５】本発明である一輪挿し及びその取付台を花器に置き、生花を生けた状態を示した図である。
【符号の説明】
１　　　一輪挿し
１ａ　　差込孔
１ｂ　　上端
１ｃ　　上部
１ｄ　　下端
２　　　一輪挿し
２ａ　　差込孔
２ｂ　　上端
２ｃ　　筒部
２ｄ　　下部
２ｅ　　基部
２ｆ　　下端
３　　　取付台
３ａ　　大径差込孔
３ｂ　　小径差込孔
３ｃ　　上面
３ｄ　　下面
３ｅ　　側面
４　　　取付台
４ａ　　大径差込孔
４ｂ　　小径差込孔
４ｃ　　上面
４ｄ　　下面
４ｅ　　側面
５　　　一輪挿し
５ａ　　差込孔
５ｂ　　上部
５ｃ　　外周面
５ｄ　　下端
６　　　一輪挿し
６ａ　　差込孔
６ｂ　　上部
６ｃ　　外周面
６ｄ　　下端
７　　　取付台
７ａ　　同径差込孔
７ｂ　　上面
７ｃ　　側面
７ｄ　　下面
８　　　一輪挿し
８ａ　　差込孔
８ｂ　　上端
８ｃ　　外周面
８ｄ　　下端
９　　　取付台
９ａ　　同径差込孔
９ｂ　　上面
９ｃ　　側面
９ｄ　　下面
１０　　　一輪挿し
１０ａ　　差込孔
１０ｂ　　上端
１０ｃ　　外周面
１０ｄ　　下端
１０ｅ　　第１環条溝
１０ｆ　　第２環条溝
１０ｇ　　第３環条溝
１１　　　一輪挿し
１１ａ　　差込孔
１１ｂ　　上端
１１ｃ　　外周面
１１ｄ　　垂下部
１１ｅ　　下端
１１ｆ　　第１差込孔
１１ｇ　　第２差込孔
１１ｈ　　第３差込孔
１１ｉ　　第４差込孔
１１ｊ　　第５差込孔
１２　　　取付台
１２ａ　　差込孔
１２ｂ　　差込孔
１２ｃ　　差込孔
１２ｄ　　差込孔
１２ｅ　　側面
１２ｆ　　上面
１２ｇ　　側面
１２ｈ　　下面
１３　　　花器
１４　　　水
１５　　　生花
１５ａ　　生花
１５ｂ　　生花
１５ｃ　　生花
【図１】
2004089279.tif 000003
【図２】
2004089279.tif 000004
【図３】
2004089279.tif 000005
【図４】
2004089279.tif 000006
【図５】
2004089279.tif 000007
【図６】
2004089279.tif 000008
【図７】
2004089279.tif 000009
【図８】
2004089279.tif 000010
【図９】
2004089279.tif 000011
【図１０】
2004089279.tif 000012
【図１１】
2004089279.tif 000013
【図１２】
2004089279.tif 000014
【図１３】
2004089279.tif 000015
【図１４】
2004089279.tif 000016
【図１５】
2004089279.tif 000017
【図１６】
2004089279.tif 000018
【図１７】
2004089279.tif 000019
【図１８】
2004089279.tif 000020
【図１９】
2004089279.tif 000021
【図２０】
2004089279.tif 000022
【図２１】
2004089279.tif 000023
【図２２】
2004089279.tif 000024
【図２３】
2004089279.tif 000025
【図２４】
2004089279.tif 000026
【図２５】
2004089279.tif 000027
【図２６】
2004089279.tif 000028
【図２７】
2004089279.tif 000029
【図２８】
2004089279.tif 000030
【図２９】
2004089279.tif 000031
【図３０】
2004089279.tif 000032
【図３１】
2004089279.tif 000033
【図３２】
2004089279.tif 000034
【図３３】
2004089279.tif 000035
【図３４】
2004089279.tif 000036
【図３５】
2004089279.tif 000037